(57)【要約】【課題】皮膚のしみを効果的に改善することのできる美容器及び美容方法を提供する。【解決手段】美容器１は、楕円球状の曲面を、当該楕円球の長手方向に広がる平面で切り取った形状を有する本体部１１を有する光照射部１０を備えている。本体部１１の凹面側には、青色ＬＥＤ１３が複数設けられており、本体部１１の楕円形状の開口端部１１１には、光照射部１０を皮膚に貼付するための粘着層１４が設けられている。青色ＬＥＤ１３から照射される光の波長は、４６５〜４７０ｎｍの範囲であることが好ましく、青色ＬＥＤ１３から照射される光の合計の皮膚におけるエネルギー密度は、５〜２５ｍＷ／ｃｍ２の範囲であることが好ましい。【選択図】図２
2012034977.tif 000002
【特許請求の範囲】
【請求項１】
皮膚におけるしみの改善を目的とする美容器であって、
皮膚に光を照射する１又は複数の発光ダイオードを備えており、
前記発光ダイオードから照射される光の波長は、４６５〜４７０ｎｍの範囲である
ことを特徴とする美容器。
【請求項２】
前記美容器を皮膚にセットしたときに、前記発光ダイオードから照射される光の合計の前記皮膚におけるエネルギー密度が、５〜２５ｍＷ／ｃｍ２となるように設定されていることを特徴とする請求項１に記載の美容器。
【請求項３】
前記美容器は、前記発光ダイオードと前記皮膚との間の距離を規定する手段を備えていることを特徴とする請求項２に記載の美容器。
【請求項４】
皮膚におけるしみの改善を目的とする美容器であって、
皮膚に光を照射する１又は複数の発光ダイオードと、
前記発光ダイオードを保持する本体部と、
前記本体部を皮膚に貼付する粘着部と
を備えたことを特徴とする美容器。
【請求項５】
前記本体部は、円形状又は楕円形状の開口端部を備えており、
前記粘着部は、前記本体部の開口端部に設けられている
ことを特徴とする請求項４に記載の美容器。
【請求項６】
前記発光ダイオードから照射される光の波長は、４６５〜４７０ｎｍの範囲であることを特徴とする請求項４又は５に記載の美容器。
【請求項７】
前記美容器を皮膚に貼付したときに、前記発光ダイオードから照射される光の合計の前記皮膚におけるエネルギー密度が、５〜２５ｍＷ／ｃｍ２の範囲であることを特徴とする請求項４〜６のいずれか一項に記載の美容器。
【請求項８】
前記本体部の円形状又は楕円形状の開口端部は、一方向の長さが３〜５ｃｍであり、前記一方向と直交する方向の長さが１．５〜３ｃｍであることを特徴とする請求項５〜７のいずれか一項に記載の美容器。
【請求項９】
皮膚におけるしみの改善を目的として、発光ダイオードを使用し、皮膚に対して４６５〜４７０ｎｍの波長の光を照射することを特徴とする美容方法。
【請求項１０】
前記照射する光の前記皮膚におけるエネルギー密度を、５〜２５ｍＷ／ｃｍ２とすることを特徴とする請求項９に記載の美容方法。
【発明の詳細な説明】
【技術分野】
【０００１】
本発明は、皮膚におけるしみの改善を目的とする美容器及び美容方法に関するものである。
【背景技術】
【０００２】
近年、皮膚の光老化の徴候であるしみやしわの改善を目的として、レーザーや発光ダイオード（Light Emitting Diode；ＬＥＤ）などの光源からの光を皮膚に照射する美容方法が利用されている。
【０００３】
中でも、赤色光は波長が６１０〜７５０ｎｍと比較的長いため、皮膚の深部にまで到達し、線維芽細胞を活性化し、コラーゲン・エラスチンの生成を促進すること、そして赤色ＬＥＤからの光を回数を重ねて照射することにより、しみ・くすみなどの光老化皮膚の改善に有効であることが知られている（非特許文献１参照）。また、特許文献１には、しみ、しわ等の改善を図るために、赤色ＬＥＤを配設した美容器が開示されている。
【０００４】
一方、青色光については、ニキビ（尋常性ざ瘡）の原因菌であるアクネ菌（Propionibacterium acnes）に照射するとアクネ菌の破壊をもたらすことから、ニキビの治療に有用であることが知られている（非特許文献１参照）。また、特許文献２には、ＬＥＤを備えた皮膚治療用フォトセラピー装置が開示されているが、ここでの青色光の使用は、主にニキビの治療を目的とするものである。
【先行技術文献】
【特許文献】
【０００５】
【特許文献１】特開２００９−１７２０９５号公報
【特許文献２】特表２００８−５０８９８５号公報
【非特許文献】
【０００６】
【非特許文献１】天津朗典、「ＬＥＤ」、光老化皮膚、南山堂、２００５年５月９日、ｐ．１１６−１２３
【発明の概要】
【発明が解決しようとする課題】
【０００７】
本発明は、皮膚のしみを効果的に改善することのできる美容器及び美容方法を提供することを目的とする。
【課題を解決するための手段】
【０００８】
上記目的を達成するために、第１に本発明は、皮膚におけるしみの改善を目的とする美容器であって、皮膚に光を照射する１又は複数の発光ダイオードを備えており、前記発光ダイオードから照射される光の波長は、４６５〜４７０ｎｍの範囲であることを特徴とする美容器を提供する（発明１）。
【０００９】
上記発明（発明１）においては、光の波長が４６５〜４７０ｎｍの範囲にあることで、他の青色光の波長と比較しても、皮膚におけるしみの改善効果が顕著なものとなる。また、光源としてＬＥＤを使用することにより、電球と比較して発熱量が少なく、それにより冷却装置等を必要とすることがなく、またコンパクト化も可能となる。
【００１０】
上記発明（発明１）において、前記美容器を皮膚にセットしたときに、前記発光ダイオードから照射される光の合計の前記皮膚におけるエネルギー密度が、５〜２５ｍＷ／ｃｍ２となるように設定されていることが好ましい（発明２）。エネルギー密度が上記範囲内にあることで、適度な照射時間で、皮膚におけるしみの改善効果を十分に得ることができる。
【００１１】
上記発明（発明１，２）に係る美容器は、前記発光ダイオードと前記皮膚との間の距離を規定する手段を備えていることが好ましい（発明３）。これにより、上記で規定したエネルギー密度のＬＥＤ光を、対象とする皮膚に確実に照射することができる。
【００１２】
第２に本発明は、皮膚におけるしみの改善を目的とする美容器であって、皮膚に光を照射する１又は複数の発光ダイオードと、前記発光ダイオードを保持する本体部と、前記本体部を皮膚に貼付する粘着部とを備えたことを特徴とする美容器を提供する（発明４）。
【００１３】
上記発明（発明４）においては、粘着部を備えることにより、皮膚に光を照射している間に本体部が皮膚から離れたり、皮膚のしみに対する本体部の位置がずれることを防止し、しみに対して確実にＬＥＤの光を照射することができる。また、光源としてＬＥＤを使用することにより、電球と比較して発熱量が少なく、それにより冷却装置等を必要とすることがなく、またコンパクト化も可能となる。
【００１４】
上記発明（発明４）において、前記本体部は、円形状又は楕円形状の開口端部を備えており、前記粘着部は、前記本体部の開口端部に設けられていることが好ましい（発明５）。開口端部が円形状又は楕円形状であることで、体の種々の場所、例えば、顔面、特にこめかみや頬等に生じたしみに対しても、本発明の美容器を使い勝手良く使用することができ、また粘着部を開口端部に設けることで、効果的に本体部を皮膚に貼付することが可能となる。
【００１５】
上記発明（発明４，５）において、前記発光ダイオードから照射される光の波長は、４６５〜４７０ｎｍの範囲であることが好ましい（発明６）。光の波長がこの範囲にあることで、他の青色光の波長と比較しても、皮膚におけるしみの改善効果が顕著なものとなる。
【００１６】
上記発明（発明４〜６）において、前記美容器を皮膚に貼付したときに、前記発光ダイオードから照射される光の合計の前記皮膚におけるエネルギー密度が、５〜２５ｍＷ／ｃｍ２の範囲であることが好ましい（発明７）。エネルギー密度が上記範囲内にあることで、適度な照射時間で、皮膚におけるしみの改善効果を十分に得ることができる。
【００１７】
上記発明（発明５〜７）において、前記本体部の円形状又は楕円形状の開口端部は、一方向の長さが３〜５ｃｍであり、前記一方向と直交する方向の長さが１．５〜３ｃｍであることが好ましい（発明８）。本体部の開口端部がこの大きさであることで、体の種々の場所、例えば、顔面、特にこめかみや頬等に生じたしみに対しても、本発明の美容器を使い勝手良く使用することができる。
【００１８】
第３に本発明は、皮膚におけるしみの改善を目的として、発光ダイオードを使用し、皮膚に対して４６５〜４７０ｎｍの波長の光を照射することを特徴とする美容方法を提供する（発明９）。上記発明（発明９）においては、前記照射する光の前記皮膚におけるエネルギー密度を、５〜２５ｍＷ／ｃｍ２とすることが好ましい（発明１０）。
【発明の効果】
【００１９】
本発明の美容器又は美容方法によれば、皮膚のしみを効果的に改善することができる。
【図面の簡単な説明】
【００２０】
【図１】本発明の第１の実施形態に係る美容器の斜視図である。
【図２】同実施形態に係る光照射部の底面図（ａ）及び断面図（ｂ）（（ａ）のＡ−Ａ断面図）である。
【図３】同実施形態に係る美容器の使用方法を表す図である。
【発明を実施するための形態】
【００２１】
以下、本発明の実施形態について説明する。
〔美容器：第１の実施形態〕
まず本発明の第１の実施形態に係る美容器について、添付図面を参照して説明する。
【００２２】
図１に示すように、本実施形態に係る美容器１は、光照射部１０と、電源２０と、光照射部１０及び電源２０を電気的に接続するケーブル２１とを備えている。
【００２３】
図１及び図２に示すように、光照射部１０は、楕円球状の曲面を、当該楕円球の長手方向に広がる平面で切り取った形状を有する本体部１１を備えており、この本体部１１は、楕円形状の開口端部１１１を備えている。
【００２４】
本体部１１の凹面側（図２（ｂ）中下側）には、当該本体部１１と同様の形状を有する反射板１２が設けられている。すなわち、この反射板１２は、楕円球状の曲面を、当該楕円球の長手方向に広がる平面で切り取った形状を有する。なお、本実施形態のように反射板１２を設ける替わりに、本体部１１の凹面にメッキ、蒸着等を施して、本体部１１の凹面を反射部としてもよい。
【００２５】
本体部１１（反射板１２）の凹面側には、青色ＬＥＤ１３が複数設けられている。本実施形態では、青色ＬＥＤ１３は、本体部１１の長手方向に沿って４個、５個及び４個の３列、合計１３個設けられているが、対象とする皮膚Ｓ（図２（ｂ）参照）に対して所望のエネルギー密度の青色ＬＥＤ光が照射されれば、その数は特に限定されない。複数の青色ＬＥＤ１３からの光は、上記反射板１２によって効率良く皮膚Ｓに照射される。
【００２６】
各青色ＬＥＤ１３の光度は、特に限定されるものではないが、通常は５０〜２５００ｍｃｄであり、好ましくは５００〜１０００ｍｃｄである。
【００２７】
本実施形態に係る美容器１は、光源としてＬＥＤを使用するが、ＬＥＤを使用することにより、電球と比較して、発熱量が少なく、それにより冷却装置等を必要とすることがなく、またコンパクト化も可能であるという利点がある。
【００２８】
本体部１１の開口端部１１１には、粘着層１４が設けられている。この粘着層１４は、図２（ｂ）に示すように、光照射部１０を皮膚Ｓに貼付するためのものである。粘着層１４は、粘着シートによって形成してもよいし、粘着剤の塗布によって形成してもよい。なお、粘着層１４は、図示しない剥離シートによって保護されていてもよい。粘着層１４を開口端部１１１に設けることで、効果的に光照射部１０を皮膚Ｓに貼付することが可能となる。また、粘着層１４が設けられた開口端部１１１は楕円形状であるが、開口端部１１１がこの形状であることで、体の種々の場所、例えば、顔面、特にこめかみや頬等に生じたしみに対しても、光照射部１０を貼付しやすくなり、本実施形態に係る美容器１を使い勝手良く使用することができる。
【００２９】
本実施形態に係る美容器１は、上記粘着層１４を介して光照射部１０を皮膚Ｓに貼付することができる。これにより、光照射部１０が皮膚Ｓから離れたり、皮膚Ｓのしみに対する光照射部１０の位置がずれることを防止し、しみに対して確実に青色ＬＥＤ１３の光を照射することができる。したがって、何か他の作業等をしているとき、又は睡眠時などにおいても、本実施形態の美容器１を使用することが可能である。
【００３０】
粘着剤の種類は、光照射部１０を皮膚Ｓに貼付することができ、かつ皮膚Ｓに対する悪影響の少ないものであれば特に限定されない。かかる粘着剤としては、例えば、一般的に絆創膏等に用いられるアクリル系、ゴム系又はシリコーン系の粘着剤や、ポリアクリル酸のゲル組成物等を使用することができる。また、ウレタン樹脂を主材料とした含水ゲルシートも使用することができる。含水ゲルとしては、水溶性高分子又は分子内に親水基を多量に持つ高分子材料を使用することができる。水溶性高分子としては、ポリアクリル酸ナトリウム、ポリアクリルアミド、ポリビニルメチルエーテル、ポリビニルアルコール、ポリビニルピロリドン、ポリビニルピロリドン無水マレイン酸共重合物、ポリビニルスルホン、ポリエチレンオキサイド、ポリエチレンイミン、メチルセルロース、エチルセルロース、カルボキシメチルセルロースナトリウム、アルギン酸ナトリウム、ゼラチン、キサンタンガム、ローカストビーンガム等が例示できる。また、分子内に親水基を多量に持つ高分子材料としては、ポリウレタンヒドロゲル、ポリアクリル酸ヒドロゲル等が例示できる。
【００３１】
粘着層１４の厚さは特に限定されないが、通常は０．０１〜３ｍｍ程度である。
【００３２】
図１及び図２に示すように、本体部１１の凸面側（図２（ｂ）中上側）、長手方向の端部には、接続部１５が設けられている。この接続部１５と、各青色ＬＥＤ１３とは、本体部１１と反射板１２との間に設けられた導線によって、電気的に接続されている。
【００３３】
ケーブル２１の先端部には接続端子２２が設けられており、このケーブル２１の接続端子２２が上記接続部１５に接続されることで、光照射部１０の各青色ＬＥＤ１３と電源２０とが電気的に接続され、各青色ＬＥＤ１３に電源２０からの電気が供給される。
【００３４】
電源２０の種類は特に限定されず、充電式電源、乾電池式電源、家庭用コンセントに接続されるＡＣアダプタ等のいずれであってもよいが、携帯可能な充電式電源又は乾電池式電源が好ましく、電池の入れ替えを必要としない充電式電源が特に好ましい。かかる電源２０によれば、何か他の作業等をしているとき、又は睡眠時などにおいても、美容器１の使用を不便にすることはない。
【００３５】
なお、電源２０のケーシングには、オン／オフのスイッチや、光の照射時間を設定するためのタイマーの設定部、あるいはタイマー時間等を表示する表示部等が設けられていてもよい。
【００３６】
本実施形態に係る美容器１では、光照射部１０と電源２０とが別体になっているが、これにより、皮膚Ｓに貼付する光照射部１０を軽量化し、使用に伴う負担を軽減することができる。
【００３７】
ここで、青色ＬＥＤ１３から照射される光の波長は、４６５〜４７０ｎｍの範囲であることが好ましい。光の波長がこの範囲にあることで、他の青色光の波長と比較しても、皮膚におけるしみの改善効果が顕著なものとなる。
【００３８】
また、図２（ｂ）に示すように、粘着層１４を介して光照射部１０を皮膚Ｓに貼付したときに、青色ＬＥＤ１３から照射される光の合計の皮膚Ｓにおけるエネルギー密度は、５〜２５ｍＷ／ｃｍ２の範囲であることが好ましく、特に１０〜２０ｍＷ／ｃｍ２の範囲であることが好ましい。エネルギー密度が上記範囲内にあることで、皮膚におけるしみの改善効果を十分に得ることができる。エネルギー密度が５ｍＷ／ｃｍ２未満であると、しみの改善効果を得るために非常に長い光照射時間を必要とする場合があり、エネルギー密度が２５ｍＷ／ｃｍ２を超えると、青色ＬＥＤ１３の基盤が発熱することがあり、これにより温感を感じる場合がある。
【００３９】
本実施形態において、光照射部１０の本体部１１の大きさは、その開口端部１１１の長手方向の長さが３〜５ｃｍ、特に３〜４ｃｍであることが好ましく、短手方向の長さが１．５〜３ｃｍ、特に２〜３ｃｍであることが好ましい。光照射部１０の本体部１１がこの大きさであることで、体の種々の場所、例えば、顔面、特にこめかみや頬等に生じたしみに対しても、本実施形態の美容器１を使い勝手良く使用することができる。
【００４０】
なお、光照射部１０の本体部１１の高さＨは、青色ＬＥＤ１３の出力、皮膚Ｓにおけるエネルギー密度等を考慮して適宜決定されるが、通常は０．６〜２．０ｃｍであり、好ましくは０．８〜１．２ｃｍである。
【００４１】
以上説明した美容器１を使用するには、図３に示すように、皮膚Ｓのしみの部分に対して、粘着層１４を介して光照射部１０を貼付し、電源２０からの電気を青色ＬＥＤ１３に供給し、青色ＬＥＤ１３からの光を皮膚Ｓに照射する。
【００４２】
光の照射時間は、しみの改善が得られれば特に限定されないが、通常は５〜２０分、好ましくは１０〜１５分である。
【００４３】
本実施形態に係る美容器１の光照射部１０は、粘着層１４を介して皮膚Ｓに貼付されているため、光照射部１０が皮膚Ｓから離れたり、皮膚Ｓのしみに対する光照射部１０の位置がずれることは防止されており、しみに対して確実に青色ＬＥＤ１３の光を照射することができる。
【００４４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４５】
例えば、光照射部１０の形状は半球状であってもよい。また、電源２０は、光照射部１０に直接接続される形態であってもよい。
【００４６】
また、粘着層１４は、本体部１１の開口部の全面に設けられていてもよい。この場合、青色ＬＥＤ１３の光は粘着層１４を透過する必要があるため、粘着剤層１４は、透明であるか、又は青色光（特に、４６５〜４７０ｎｍの波長の光）の吸収が少ないものが好ましい。さらに、粘着層１４は、本体部１１の開口部の略全面に設けられ、青色ＬＥＤ１３に対応する箇所だけ孔があいていてもよい。さらにまた、本体部１１は平板状となっており、その本体部１１に粘着剤層１４が積層されていてもよい。この場合、反射板１２は不要となる。
【００４７】
〔美容器：第２の実施形態〕
次に、本発明の第２の実施形態に係る美容器について説明する。
本実施形態に係る美容器は、皮膚に光を照射する１又は複数のＬＥＤを備えている。
【００４８】
本実施形態において、ＬＥＤから照射される光の波長は、４６５〜４７０ｎｍの範囲である。光の波長がこの範囲にあることで、他の青色光の波長と比較しても、皮膚におけるしみの改善効果が顕著なものとなる。
【００４９】
また、本実施形態に係る美容器を皮膚にセットしたときに、ＬＥＤから照射される光の合計の皮膚におけるエネルギー密度は、５〜２５ｍＷ／ｃｍ２の範囲であることが好ましく、特に１０〜２０ｍＷ／ｃｍ２の範囲であることが好ましい。エネルギー密度が上記範囲内にあることで、皮膚におけるしみの改善効果を十分に得ることができる。エネルギー密度が５ｍＷ／ｃｍ２未満であると、しみの改善効果を得るために非常に長い光照射時間を必要とする場合があり、エネルギー密度が２５ｍＷ／ｃｍ２を超えると、ＬＥＤの基盤が発熱することがあり、これにより温感を感じる場合がある。
【００５０】
本実施形態に係る美容器は、ＬＥＤと、対象とする皮膚との間の距離を規定する手段を備えていることが好ましく、これにより、上記で規定したエネルギー密度のＬＥＤ光を、対象とする皮膚に確実に照射することができる。かかる距離規定手段としては、例えば、ＬＥＤを保持するとともに皮膚に接触する筐体（例：第１の実施形態における本体部１１＋粘着層１４）や、ＬＥＤ保持部及び皮膚接触部を備えたフレーム等が挙げられる。
【００５１】
本実施形態における美容器は、光の波長が４６５〜４７０ｎｍのＬＥＤを備えたものであれば、機械的構成は特に限定されないが、好ましくは、第１の実施形態に係る美容器１の構成を利用することができる。すなわち、第１の実施形態に係る美容器１において、青色ＬＥＤ１３の光の波長を４６５〜４７０ｎｍに限定したものが好ましい。
【００５２】
〔美容方法〕
本発明に係る美容方法は、発光ダイオードを使用し、皮膚に対して４６５〜４７０ｎｍの波長の光を照射する方法である。この美容方法によれば、皮膚のしみを顕著に改善することができる。照射する光の皮膚におけるエネルギー密度は、５〜２５ｍＷ／ｃｍ２とすることが好ましく、特に１０〜２０ｍＷ／ｃｍ２とすることが好ましい。エネルギー密度が上記範囲内にあることで、皮膚におけるしみの改善効果を十分に得ることができる。
【００５３】
上記の美容方法は、一例として、第２の実施形態に係る美容装置を使用して行うことができる。また、第１の実施形態に係る美容器１において、青色ＬＥＤ１３の光の波長を４６５〜４７０ｎｍに限定したものも、好ましく使用することができる。
【実施例】
【００５４】
以下の製造例及び試験例を示し、本発明をさらに詳細に説明するが、本発明は下記の各例に何ら制限されるものではない。
【００５５】
〔製造例１〕光照射装置の製造
下記の試験例１で使用する光照射装置は、以下のように製造した。
まず、ピーク波長がそれぞれ４３０ｎｍ（Ｋｉｎｇｂｒｉｇｈｔ社製，品番：Ｌ−９３４ＭＢＣ）、４６５〜４７０ｎｍ（ＰＯＴＩＯＮＩＣＡ  ＣＯＲＰ社製，品番：ＯＬＢ５３０１Ｔ）、及び５２３ｎｍ（ＯＳＲＭ社製，品番：ＬＴ−５４３Ｃ−ＣＷＤＷ−３５）の青色ＬＥＤを用意した。
【００５６】
厚さ１．５ｍｍのガラス布基材エポキシ樹脂銅張積層板（ＫＵＭＩＮ  ＥＬＥＣＴＲＯＮＩＣＳ社製，品番：ＦＲ−４）を基盤とし、この基盤に対し、６ウェルプレートのウェルに対応する直径３５ｍｍの円内に、２４個の上記青色ＬＥＤを１セットとして配置し、これを６ウェルプレートの各ウェルに対応する位置に６セット設けた。このようにして、波長４３０ｎｍの光を照射する光照射装置、波長４６５〜４７０ｎｍの光を照射する光照射装置、及び波長５２３ｎｍの光を照射する光照射装置を製造した。Ｇｅｎｔｅｃ社製のＴＰＭ−３００及びＰＳ３１０ＷＢ−Ｖ２にてエネルギー密度を測定し、エネルギー密度１５．６ｍＷ／ｃｍ２になるよう照射距離を決定した。
【００５７】
〔試験例１〕ＬＥＤ光照射による黒化抑制能の検討
正常ヒト表皮メラノサイト（Asian donor）と正常ヒト表皮ケラチノサイトとを多層化したヒト皮膚三次元モデル（倉敷紡績社製，ＭＥＬ−３００Ａ）を６ウェルプレートにセットし、メラノサイトのメラニン産生を誘導するα−メラノサイト刺激ホルモン（α−ＭＳＨ）、β−線維芽細胞増殖因子（β−ＦＧＦ）、ヒト上皮細胞増殖因子（ｈＥＧＦ）及びハイドロコーチゾンを含むフェノールレッドフリー培地（倉敷紡績社製，ＥＰＩ−１００ＬＬＭＭ−ＰＲＦ培地）５ｍＬを各ウェルに添加し、３７℃、５％ＣＯ２雰囲気下で培養した。
【００５８】
ＬＥＤ光照射群については、製造例１で得た光照射装置を、上記照射距離にて上記６ウェルプレートにセットした後、培養１日目から３日目まで、１日１０時間照射した。各群ともに２日に１回培地を交換し、６日目又は１０日目に培養を終了した。非照射群については、光線の入らない環境下、０日目、６日目又は１０日目に培養を終了した。なお、培地の交換は、ＬＥＤ光照射群と同様に２日に１回行った。
【００５９】
培養を終了したヒト皮膚三次元モデルを、１０％ホルマリン含有ダルベッコＰＢＳ緩衝液を加えて固定した。固定したヒト皮膚三次元モデルのメラニン黒化を、メラニン指数を計測することにより評価した。
【００６０】
メラニン指数の計測には、インテグラル社製のメグザメーターを用いた。各サンプルを２回計測し、平均値を当該サンプルのメラニン指数として算出した。各群のサンプル数はＮ＝２又は３で行い、当該群に含まれるサンプルのメラニン指数の平均値を、当該群のメラニン指数として算出した。結果を表１に示す。
【００６１】
【表１】
2012034977.tif 000003
【００６２】
表１の結果から明らかなように、４６５〜４７０ｎｍの青色ＬＥＤ光の照射は、他の青色ＬＥＤ光の照射と比較して、顕著なメラニン黒化抑制効果を示した。
【産業上の利用可能性】
【００６３】
本発明の美容器及び美容方法は、皮膚におけるしみの改善に大きく貢献することができる。
【符号の説明】
【００６４】
１…美容器
１０…光照射部
１１…本体部
１１１…開口端部
１２…反射板（反射部）
１３…青色ＬＥＤ（発光ダイオード）
１４…粘着層（粘着部）
１５…接続部
２０…電源
２１…ケーブル
２２…接続端子
【図１】
2012034977.tif 000004
【図２】
2012034977.tif 000005
【図３】
2012034977.tif 000006